(57)【要約】  水性廃水若しくはプロセス用水流又は非水性液体炭化水素含有流のような液体流中の水銀の量を低下させる方法が開示されている。この方法では、液体流を有効量のＨｇ錯化剤と接触させ、液体流中の水銀汚染物質がＨｇ錯化剤と共に不溶性の錯体を形成し、その後、例えば沈めた中空糸限外ろ過フィルターなどを使用して精密ろ過又は限外ろ過技術により液体流から不溶性の錯体を除去する。【選択図】    なし【特許請求の範囲】
【請求項１】
液体流中のＨｇの量を低下させるための方法であって、
ａ）上記の目的に有効な量のＨｇ錯化剤を液体流に添加し、
ｂ）Ｈｇ錯化剤が液体中の元素態Ｈｇ及びＨｇ化合物と不溶性の錯体を形成するのを可能にするのに充分な時間液体流を混合し、
ｃ）錯化Ｈｇ及び錯化Ｈｇ化合物をろ過プロセスで液体から除去すること
を含む方法。
【請求項２】
前記液体流が水性廃棄物流又は液体炭化水素含有媒質から選択される、請求項１記載の方法。
【請求項３】
前記Ｈｇ錯化剤が硫化物官能基を含有する水溶性ポリマーである、請求項２記載の方法。
【請求項４】
Ｈｇ錯化剤がポリマー状ジチオカルバミン酸塩である、請求項２記載の方法。
【請求項５】
前記Ｈｇ錯化剤が以下のポリマー状ジチオカルバミン酸塩（ＤＴＣ）（Ｉ）及び（ＩＩ）からなる群から選択されるものを含む、請求項２記載の方法。
ただし、ポリマー状ＤＴＣ（Ｉ）は次式のものであり
【化１】
2012501244.tif 000009
（式中、Ｒ１は独立に−Ｈ又は−ＣＳ２Ｒ２であり、Ｒ２は独立にＨ又は陽イオンであり、ｘ、ｙ及びｚの合計は１５を超える整数であり、ポリジチオカルバミン酸塩の分子量は１０００００未満であって、Ｒ１の５０モル％超が−ＣＳ２Ｒ２であるか、又はポリジチオカルバミン酸塩の分子量は１０００００を超える。）、
ポリマー状ＤＴＣ（ＩＩ）は次式のものである
【化２】
2012501244.tif 000010
（式中、Ｒ３は独立に各Ｒ３で同一でも異なるものでもよい有機基を表すか、又は次式の基を表す。
【化３】
2012501244.tif 000011
式中、Ｒ６は独立に各Ｒ６で同一でも異なるものでもよい有機基を表し、ｘ＝ｌ〜５であり、Ｒ４は独立に−Ｈ又は−ＣＳ２Ｒ７を表し、各Ｒ４で同一でも異なるものでもよく、Ｒ７は各々独立にＨ又は陽イオンを表し、各Ｒ７で同一でも異なるものでもよく、Ｒ５はＮ又は置換有機基を表し、ＺはＮ−Ｒ４、Ｏ、又はＳを表し、各Ｚで同一でも異なるものでもよく、ｎの合計は１０を超える整数であり、ｍは２を超える整数である。）。
【請求項６】
前記ろ過プロセスが液体流をマイクロフィルター又は限外ろ過フィルターに通すことを含む、請求項１記載の方法。
【請求項７】
Ｈｇ錯化剤を液体流に添加する工程が、液体流１Ｌに対して約０．１〜約１００００ｍｇのポリマー状ＤＴＣを添加することを含む、請求項５記載の方法。
【請求項８】
Ｈｇ錯化剤を液体流に添加する工程が、液体流１Ｌに対して約１〜約１００ｍｇのポリマー状ＤＴＣを添加することを含む、請求項７記載の方法。
【請求項９】
前記ろ過プロセスが沈めた中空糸限外ろ過膜又は沈めた中空糸精密ろ過膜で起こる、請求項６記載の方法。
【請求項１０】
前記ポリマー状ＤＴＣ（Ｉ）が存在し、式Ｉ中でＲ１の５０モル％超がＣＳ２Ｒ２であり、Ｒ２がアルカリ金属であり、ｘ、ｙ及びｚの合計が１００を超える整数である、請求項５記載の方法。
【請求項１１】
ポリマー状ＤＴＣ（Ｉ）が存在し、Ｒ１の８０モル％超が−ＣＳ２Ｒ２であり、Ｒ２がアルカリ金属であり、ｘ、ｙ及びｚの合計が５００を超える整数である、請求項５記載の方法。
【請求項１２】
除去後、液体流が１０ｎｇ／Ｌ以下の量でＨｇを含む、請求項５記載の方法。
【請求項１３】
ポリマー状ＤＴＣ（ＩＩ）が存在し、式ＩＩのＲ３がエチレン基であり、ｎの合計が１０超であり、ｍが３であり、Ｒ５がＮであり、Ｒ４の５０％超が−ＣＳ２Ｒ７であり、Ｒ７がアルカリ金属であり、ＺがＮ−Ｒ４である、請求項５記載の方法。
【請求項１４】
ポリマー状ＤＴＣ（ＩＩ）が存在し、式ＩＩ中、Ｒ３がエチレン基であり、ｎの合計が２５超であり、ｍが３であり、Ｒ５がＮであり、Ｒ４の５０％超が−ＣＳ２Ｒ７であり、Ｒ７がアルカリ金属であり、ＺがＮ−Ｒ４である、請求項５記載の方法。
【請求項１５】
Ｒ３がエチレン基であり、ｎの合計が２５超であり、ｍが３であり、Ｒ５がＮであり、Ｒ４の７９％超が−ＣＳ２Ｒ７であり、Ｒ７がアルカリ金属であり、ＺがＮ−Ｒ４である、請求項５記載の方法。
【発明の詳細な説明】
【技術分野】
【０００１】
本発明は、水性廃棄物及びプロセス用水流並びに非水性液体炭化水素含有流のＨｇ含有量を低下させる方法に関する。
【背景技術】
【０００２】
水銀Ｈｇは、化石燃料、バッテリー、温度計、蛍光灯、歯科用充填材及び兵器生産のような種々の日常用途において見られる元素である。Ｈｇは環境に放出されると重大な健康上の問題を引き起こし得ることは明白である。魚や動物の組織に蓄積する可能性があり、次いでかかる汚染された種を消費する人間で増大し得るＨｇの量を中心とする懸念が増大している。実際、特に兵器の生産に関して、米国エネルギー省（ＤＯＥ）はＨｇの分離と除去を過去の兵器生産活動の浄化における最優先課題として位置付けている。水銀を含むＤＯＥ廃棄物は主として水性及び非水性の液体、汚泥、土壌、吸着した液体などである。
【０００３】
廃水処理プラントは、歯科医院、医療施設、発電所、採掘作業、廃棄物及び下水汚泥焼却、並びに石油化学精製所及びプロセスを含めて居住、商業及び産業などの多種多様な由来のＨｇを含有する廃水を受ける。近年は、マイクロエレクトロニクス製造設備、特にＬＣＤ製造業者からの産業廃水、自動車廃水などでＨｇの量が増大して来ている。
【先行技術文献】
【特許文献】
【０００４】
【特許文献１】米国特許第５５２３００２号明細書
【特許文献２】米国特許第５６５８４８７号明細書
【特許文献３】米国特許第６２５８２７７号明細書
【発明の概要】
【発明が解決しようとする課題】
【０００５】
人間の健康及び環境を保護するために、最近、水銀の許容できる廃液排出濃度を極めて低いレベル（場合によっては一兆分の１０部）に制限する厳しい規制が施行された。これらの新しい規制の結果、水銀を現存する技術を使用しては達成することができない濃度に低下させることができる廃水処理方法に対する差し迫ったニーズがある。
【課題を解決するための手段】
【０００６】
水性廃水若しくはプロセス用水流又は非水性液体炭化水素含有流中の水銀の量を低下させる方法が開示される。この方法では、液体流を有効量のＨｇ錯化剤と接触させ、液体流を混合して、Ｈｇ錯化剤と液体中のＨｇ汚染物質との間の不溶性のＨｇ錯体の形成を促進し、次いで不溶性のＨｇ錯体を、沈めた限外ろ過膜などの使用を含む限外ろ過又は精密ろ過のようなろ過プロセスによって液体流から除去する。
【発明を実施するための形態】
【０００７】
本発明は、石油精製プロセス又は石油化学プロセスで一般的な水性廃水及びプロセス用水流並びに非水性流を始めとする液体媒質中のＨｇ含有量を低下させる方法を提供する。
【０００８】
本発明により利益を受けることができる石油精製プロセス及び石油化学プロセス流としては、例えば、ナフサ、ガソリン、ケロシン、ディーゼル、ジェット燃料、燃料油、軽油、真空残留物などの原油及びその留分を始めとする石油炭化水素供給原料のような石油炭化水素がある。同様に、石油化学プロセス流としては、オレフィン性又はナフテン系プロセス流、エチレングリコール、芳香族炭化水素及びこれらの誘導体がある。これらその他類似のものを本明細書では液体炭化水素含有媒質という。
【０００９】
水銀で汚染された水性系の廃水及びプロセス用水流は、既に述べたもののような、並びに石油精製所、石炭火力発電所、選鉱プラント、採掘作業、半導体製造プラント、金属事業、動力操作及び自動車製造プラントを含む居住、商業、産業及び政府由来であり得る。
【００１０】
本発明の例示的な実施形態では、Ｈｇ（元素態Ｈｇ、イオン性Ｈｇ、無機水銀化合物、又は有機水銀化合物として存在し得る）を含有する水性又は液体炭化水素含有流を、ポリマー状ジチオカルバミン酸塩（ＤＴＣ）を含む化学添加剤と接触させる。例示的な実施形態では、ＤＴＣは次式を有する水溶性の枝分れポリジチオカルバミン酸塩である。
【００１１】
【化１】
2012501244.tif 000002
式中、Ｒ１は独立に−Ｈ又は−ＣＳ２Ｒ２であり、Ｒ２は独立にＨ又は陽イオンであり、ｘ、ｙ及びｚの合計は１５を超える整数であり、ポリジチオカルバミン酸塩の分子量は１０００００未満であってＲ１の５０モル％超が−ＣＳ２Ｒ２であるか、又はポリジチオカルバミン酸塩の分子量は１０００００を超える。
【００１２】
これらのポリマー状ＤＴＣは周知であり、米国特許第５５２３００２号（以下、「’００２特許」という。）に記載されており、その開示内容は援用によって本明細書の内容の一部をなす。この’００２特許に記載されている式Ｉの枝分れ水溶性ＤＴＣを製造するには塩基の存在下でポリ［エチレンイミン］（ＰＥＩ）を二硫化炭素と反応させて次式で表される水溶性枝分れポリマー状ＤＴＣを得る。
【００１３】
【化２】
2012501244.tif 000003
式中、Ｒ１は独立に−Ｈ又は−ＣＳ２Ｒ２を表し、これは各々同一でも異なるものでもよく、Ｒ２は各々独立にＨ又は陽イオンを表し、ｘ、ｙ及びｚの合計は１５を超える整数であり、ポリジチオカルバミン酸塩の分子量は１０００００未満であってＲ１の５０モル％超が−ＣＳ２Ｒ２であるか、又はポリジチオカルバミン酸塩の分子量は１０００００を超える。１０００００超の分子量の場合、Ｒ１の官能化の程度は限定されない。
【００１４】
本発明の例示的な実施形態では、Ｒ１の＞５０モル％は−ＣＳ２Ｒ２であり、Ｒ２はアルカリ金属であり、ｘ、ｙ及びｚの合計は１００を超える整数である。
【００１５】
本発明の特に好ましい実施形態では、Ｒ１の＞８０モル％が−ＣＳ２Ｒ２であり、Ｒ２はアルカリ金属であり、ｘ、ｙ及びｚの合計は５００を超える整数である。
【００１６】
特に好ましいＤＴＣポリマーはＰＥＩ／ＣＳ２から形成され、８０％の官能化と約１７００００のＭｗを有する。
【００１７】
別の例示的な実施形態では、ポリマー状ＤＴＣは、エピクロロヒドリン（ＥＰＩ）と、エチレンジアミン（ＥＤＡ）のような２以上の第一アミン官能性からなるアミン化合物及びトリス（２−アミノエチル）アミン（ＴＲＥＮ）のような３以上の第一アミン官能基からなるアミン化合物を主として含む混合物との反応によって製造され、次いでＣＳ２で官能化された枝分れ水溶性ポリマーである。得られたポリマー状ＤＴＣの一般的な構造は次式で表される。
【００１８】
【化３】
2012501244.tif 000004
式中、Ｒ３は独立に、各Ｒ３で同一でも異なるものでもよい有機基を表すか、或いは次式の基を表す。
【００１９】
【化４】
2012501244.tif 000005
式中、Ｒ６は独立に、各Ｒ６で同一でも異なるものでもよい有機基を表し、ｘ＝１〜５であり、Ｒ４は独立に−Ｈ又は−ＣＳ２Ｒ７を表し、各Ｒ４で同一でも異なるものでもよく、Ｒ７は各々が独立にＨ又は陽イオンを表し、各Ｒ７で同一でも異なるものでもよく、式ＩＩのＲ５はＮ又は置換有機基を表し、ＺはＮ−Ｒ４、Ｏ、又はＳを表し、各Ｚで同一でも異なるものでもよく、ｎの合計は１０を超える整数であり、ｍは２を超える整数である。
【００２０】
本発明の例示的な実施形態では、Ｒ３はエチレン基であり、ｎの合計は１０超であり、ｍ＝３であり、Ｒ５＝Ｎであり、Ｒ４の＞５０％は−ＣＳ２Ｒ７であり、Ｒ７はアルカリ金属であり、ＺはＮ−Ｒ４である。
【００２１】
本発明の別の実施形態では、Ｒ３はエチレン基であり、ｎの合計は２５超であり、ｍ＝３であり、Ｒ５＝Ｎであり、Ｒ４の＞５０％は−ＣＳ２Ｒ７であり、Ｒ７はアルカリ金属であり、ＺはＮ−Ｒ４である。
【００２２】
本発明の別の実施形態では、Ｒ３はエチレン基であり、ｎの合計は２５超であり、ｍ＝３であり、Ｒ５＝Ｎであり、Ｒ４の＞７９％は−ＣＳ２Ｒ７であり、Ｒ７はアルカリ金属であり、ＺはＮ−Ｒ４である。
【００２３】
式ＩＩに示すポリマーＤＴＣは周知であり、米国特許第５６５８４８７号（以下、「’４８７特許」という。）に記載されており、その開示内容は援用によって本明細書の内容の一部をなす。
【００２４】
’４８７特許に記載されているように、式ＩＩのポリマー状ＤＴＣは、主として第二アミン官能性からなるポリアミンを水溶液中で二硫化炭素と反応させることによって製造される。一実施形態のポリアミンは一般に、製造中の架橋用化合物の添加の結果として枝分れ構造を有している。
【００２５】
本発明の一実施形態では、水溶液を製造するには、最初に、２以上の第一アミン官能基からなるアミン化合物及び３つの第一アミン官能基からなるアミン化合物を主とする混合物をエピハロヒドリンと反応させて、主として第二アミン官能性からなる枝分れ水溶性ポリアミンを得る。この合成は当業者に公知の方法によりポリアミン化合物のゲル化を防止するように行われる。ポリマー状化合物の分子量と枝分れを制御する方法の概論としては、Ａｌｌｃｏｃｋら，Ｃｏｎｔｅｍｐｏｒａｒｙ  Ｐｏｌｙｍｅｒ  Ｃｈｅｍｉｓｔｒｙ，Ｃｈａｐｔｅｒ  １１，Ｐｒｅｎｔｉｃｅ−Ｈａｌｌ，Ｉｎｃ．，Ｎ．Ｈ．１９８１を参照のこと。本発明のこの実施形態及び他の実施形態でポリアミン組成物を製造するのに適した化合物は当業者に周知である。２以上の第一アミン官能基からなる代表的な化合物としては、限定されることはないが、エチレンジアミン（ＥＤＡ）、プロピレンジアミン、ジエチレントリアミン（ＤＥＴＡ）、トリプロピレンテトラミン、ｌ，３−ジアミノ−２−ヒドロキシプロパン、ビス（ヘキサメチレントリアミン）（ＢＨＭＴ）、Ｔｅｘａｃｏから市販されているＪｅｆｆａｍｉｎｅ（登録商標）ポリオキシアルキレンアミン、トリエチレンテトラミン（ＴＥＴＡ）、テトラエチレンペンタミン（ＴＥＰＡ）及びポリエチレンイミンがある。３以上の第一アミン官能基からなる代表的な架橋用化合物としては、限定されることはないが、メラミン又はトリス（２−アミノエチル）アミン（ＴＲＥＮ）がある。限定されることはないがグリセロール、ピロガロール及びペンタエリスリトールのような非アミン化合物を枝分れ剤として利用することができる。
【００２６】
式ＩＩに包含される本発明の実施形態では、ポリアミン合成は、通例、当初は、Ａｌｌｃｏｃｋらの方法により決定される化学量論以下の量のエピハロヒドリンを使用して約３０℃〜７０℃において大気条件下で行われる。次に、混合物を７０〜１００℃に加熱し、通例系の粘度をモニターすることにより決定される所望の分子量が達成されるまで追加のエピハロヒドリンを入れる。次いで、ポリアミン生成物を二硫化炭素と反応させてジチオカルバミン酸塩を生成させる。
【００２７】
式ＩＩの好ましいポリマーは、ＣＳ２で官能化されて５０％超のＣＳ２官能性を有するＥＤＡ／ＴＲＥＮ／ＥＰＩのターポリマーである。代表的なＥＤＡ／ＴＲＥＮ／ＥＰＩＤＴＣは２５％活性レベルで約５０％〜８０％のＣＳ２官能性を含み、２５℃で測定して約１８〜約１２０センチポアズの粘度を示す。
【００２８】
Ｈｇを含む水性又は液体炭化水素含有流をポリマー状ＤＴＣと接触させる。Ｈｇは元素態若しくはイオン性の形態で存在していてもよいし、又はＨｇＣｌ２、Ｈｇ（ＯＨ）２、フェニル水銀、アルコキシアルキル水銀、メチル水銀などの化合物の一部として存在していてもよい。例示的な実施形態では、約０．１〜約１００００ｍｇ／ＬのＤＴＣをＨｇ含有液体流に添加し、好ましい添加割合は約１〜約１００ｍｇ／Ｌの程度である。
【００２９】
液体流は、ＤＴＣ沈殿剤がＨｇと不溶性の錯体を形成できるように充分な時間混合する。次に、別の例示的な実施形態では、不溶性のＨｇ錯体は、精密ろ過及び／又は限外ろ過技術によって液体流から除去することができる。代表的な分離プロセスでは、マイクロフィルター（ＭＦ）及び／又は限外ろ過フィルター（ＵＦ）膜分離技術を使用する。マイクロフィルターの典型的な孔径は約０．１〜約１０μｍの程度であり、典型的な限外ろ過膜は約０．００１〜約０．１μｍの孔径により特徴付けられる。ＵＦ又はＭＦ膜は、ポリフッ化ビニリデン（ＰＶＤＦ）のようなポリマー材料、又は酸化チタン、酸化ジルコニウム又は酸化アルミニウムのようなセラミック材料で作成し得る。ＵＦ又はＭＦ膜の物理的構造は中空糸、管状、平坦なシート又は螺旋形でよい。中空糸ＵＦ又はＭＦ膜を通る水の流れの方向は外から中又は中から外でよい。沈めたＵＦ及びＭＦ膜はその低い流量作動率のために有利に使用することができる。
【００３０】
現在のところ、好ましい限外ろ過膜はＧｅｎｅｒａｌ  Ｅｌｅｃｔｒｉｃ社から販売されている「Ｚｅｅｗｅｅｄ（商標）」膜技術産物の一部である。これらの膜は、Ｈｇを含有する液体流中に完全に浸漬される中空糸膜である。低圧の吸引作用の下で、ポンプが膜繊維中の数十億の顕微鏡的細孔を通して液体流を引き出す。化学添加剤で錯化された後のＨｇ汚染物質は細孔より大きいので、液体と共に膜を通り抜けない。この結果極めて低い濃度のＨｇを含有するろ液が得られる。外から中へ流れる経路のため、膜は圧力容器を必要としない。しかし、構成によっては、ＭＦ又はＵＦ膜を圧力容器に封入してより高い圧力で作動できるようにしてもよい。これらの膜は、各々のモジュールがその中に配置された数千の中空膜繊維を含有するモジュールとして入手可能である。Ｚｅｅｗｅｅｄ膜の使用に適切な作動パラメーターは約０〜２０ｐｓｉｇの真空の膜間圧力及び約１０〜３００ＬＭＨ（リットル／平方メートル／時）の流量である。
【００３１】
分離プロセスの後、ろ液を追加の膜又は他の精製系に供することができ、またフィルター逆流水（Ｈｇを含有する廃棄物）を追加の脱水又は廃棄のために送ることができる。
【００３２】
予備的なデータは、本発明の方法がＨｇレベルを＝＜１０ｎｇ／ｌに低下させることができることを示している。
【実施例】
【００３３】
ここで、以下の実施例により本発明をさらに説明する。これらの実施例は本発明を例証するために挙げるものであり、いかなる意味でも本発明を限定するものではない。
【００３４】
本発明の有効性を立証するために、精油所及び発電所で得られた水銀で汚染された廃水の試料を用いて実験室での試験を行った。
【００３５】
精油所廃水を用いた試験では、ＭｅｔＣｌｅａｒ（商標）ＭＲ２４０５を０、２、５、１０、２０及び５０ｍｇ／リットルの用量で、２４．９ｎｇ／ｌ（ｎｇ／ｌ＝ナノグラム／リットル＝一兆分の一部）のＨｇを含有する廃水の試料に加えた。処理した試料を、Ｐｈｉｐｐｓ  ａｎｄ  Ｂｉｒｄ  Ｊａｒ  Ｔｅｓｔｅｒを用いて同等に混合し、次いで各々の試料をＺｅｅｗｅｅｄ（商標）５００中空糸限外ろ過フィルターに通してろ過した。各々の処理を代表するろ液試料の低レベル水銀含有量を、ＥＰＡ  Ｍｅｔｈｏｄ  １６３１「Ｍｅｒｃｕｒｙ  ｉｎ  Ｗａｔｅｒ  ｂｙ  Ｏｘｉｄａｔｉｏｎ、Ｐｕｒｇｅ  ａｎｄ  Ｔｒａｐ、ａｎｄ  Ｃｏｌｄ  Ｖａｐｏｒ  Ａｔｏｍｉｃ  Ｆｌｕｏｒｅｓｃｅｎｃｅ  Ｓｐｅｃｔｒｏｍｅｔｒｙ」を用いて、認定された独立の実験室で分析した。各々の処理に対する残留水銀分析の結果を以下の表１に示す。
【００３６】
【表１】
2012501244.tif 000006
ＭｅｔＣｌｅａｒ（商標）ＭＲ２４０５＝式Ｉに示すＰＥＩ／ＣＳ２から形成されたＤＴＣポリマー、８０％ＣＳ２官能化、Ｍｗ＝約１７００００。
【００３７】
第２のシリーズの試験は３１．０ｎｇ／ｌの水銀を含有する精油所廃水の別の試料で行った。上記と同じ手順を使用して、ＭｅｔＣｌｅａｒ（商標）ＭＲ２４０５を０、２、５及び１０ｎｇ／ｌ添加した。このシリーズの試験の結果を以下の表２に示す。
【００３８】
【表２】
2012501244.tif 000007
表１及び表２に示す結果は、ＭｅｔＣｌｅａｒ（商標）ＭＲ２４０５＋限外ろ過の併用処理で水銀の極めて低い残留濃度を達成することができることを立証している。このデータはまた、ＭｅｔＣｌｅａｒ（商標）ＭＲ２４０５の添加によって、限外ろ過による水銀の除去が大幅に改良されることも立証している。
【００３９】
発電所廃水を用いた試験では、上記と同じ手順を使用して８７１ｎｇ／ｌの水銀を含有する廃水の試料を処理した。これらの試験では、ＭｅｔＣｌｅａｒ（商標）ＭＲ２４０５を０、２、５、１０、２０及び５０ｍｇ／ｌの用量で廃水に添加した。上記と同様に、処理した廃水試料を混合した後、Ｚｅｅｗｅｅｄ（商標）５００限外ろ過フィルターに通してろ過し、その後ろ液の残留水銀を分析した。試験結果を以下の表３に示す。
【００４０】
【表３】
2012501244.tif 000008
表３に示す結果も、ＭｅｔＣｌｅａｒ（商標）ＭＲ２４０５＋限外ろ過の併用処理で極めて低い（＜１０ｎｇ／ｌ）の残留水銀濃度を達成できる能力を立証している。このデータはまた、ＭｅｔＣｌｅａｒ（商標）ＭＲ２４０５の添加で限外ろ過による水銀の除去が大幅に改良されることを立証している。
【００４１】
本発明の特定の実施形態に関して本発明を説明して来たが、本発明の数多くの他の形態及び修正が当業者には自明であることが明らかである。特許請求の範囲及び本発明は一般に、本発明の真の思想と範囲内に入るかかる自明の形態及び修正を全て包含するものと考えられたい。
【国際調査報告】
2012501244.tif 000012
2012501244.tif 000013